(57)【要約】【課題】オブジェクト容器を交換でき、多種類の模様を手軽に楽しめると共に、周囲の明るさを問わずに鮮やかな模様を楽しめる万華鏡を提供する。【解決手段】  万華鏡１００は、鏡筒１を収容する外筒１０と、外筒１０の後端に設けられ、覗き穴を有する端板１３と、多数のオブジェクト２４を移動自在に装填された複数のオブジェクト容器２０とを備え、オブジェクト容器２０は、底面に板状部材２３が設けられ、磁石３２を有する回転ノブ３０により回転自在、且つ着脱可能に外筒１０の内部に取り付けられ、また、外筒１０に外壁に、照明装置４０が磁石４４を用いて着脱可能に装着され、該照明装置４０からの光はオブジェクト容器２０に投射可能とされる。さらに、複数のオブジェクト容器２０のうち、少なくとも１つが内部に装填されたオブジェクトを入れ替えることが可能な構成を有する。【選択図】      図１
0003114922.tif 000002
【実用新案登録請求の範囲】
【請求項１】
複数枚の平面鏡の鏡面を内側に向けて組合せた鏡筒を収容する外筒と、前記外筒の後端に設けられ、覗き穴を有する端板と、多数のオブジェクトを移動自在に装填された複数の透明なオブジェクト容器とを備える万華鏡であって、
前記外筒の前端側の筒壁に貫通穴が設けられ、
前記オブジェクト容器は、底面に磁性金属部材が設けられ、磁石を有する回転ノブにより前記貫通穴を介して回転自在、且つ着脱可能に前記外筒内に取り付けられることを特徴とする万華鏡。
【請求項２】
前記外筒の前記貫通穴と対向する位置に開口部が設けられ、
外筒の外壁に、照明装置が磁石を用いて着脱可能に装着され、該照明装置からの光は前記開口部を通して前記オブジェクト容器に投射可能とされることを特徴とする請求項１に記載の万華鏡。
【請求項３】
前記照明装置は、発光ダイオードと電池とON/OFFスイッチとからなり、前記発光ダイオードの照射角度は所定範囲で調整可能とされることを特徴とする請求項２に記載の万華鏡。
【請求項４】
前記複数のオブジェクト容器のうち、少なくとも１つは内部に装填されたオブジェクトを入れ替えるために開閉可能な構成を有することを特徴とする請求項１乃至３のいずれかに記載の万華鏡。
【考案の詳細な説明】
【技術分野】
【０００１】
本考案は、オブジェクトを装填されたオブジェクト容器を交換することで多種類の模様を手軽に観察でき、また周囲の明るさを問わずに鮮やかな模様を楽しめる万華鏡に関するものである。
【背景技術】
【０００２】
万華鏡としては、筒状体に細長い複数枚の平面鏡の鏡面を内側に向けて組合せた鏡筒を設け、該筒状体の後端には覗き窓を設け、該筒状体の前端にはオブジェクト容器を備えさせ、該オブジェクト容器の前後両端部をそれぞれ透光体により形成し、該オブジェクト容器内に多数のオブジェクトを移動自在に配設してなるものが既に知られている。
【０００３】
上記従来の万華鏡を使用する際には、筒状体を手で持ち、該筒状体の後端に設けられた覗き窓を覗いた状態で該筒状体を回転させるのである。しかるときは、オブジェクト容器は筒状体と共に回転し、オブジェクト容器内に配設された多数のオブジェクトは種々の態様でオブジェクト容器内を移動し、万華鏡使用者は刻々と変化する模様を見ることができる。
【０００４】
また、上記オブジェクト容器を筒状体に対し回動できるオブジェクトケース回動型万華鏡が提案されている（特許文献１参照）。
【０００５】
この場合、オブジェクトケースに、筒本体の前端部を収容する円筒状受部を突設し、その円筒状受部にスプリング配置溝を設け、そのスプリング配置溝内に複数個のスリット状貫通穴を分散配設し、その円筒状受部に嵌まる外円筒の前端部にスプリング突部受溝を設け、その円筒状受部のスプリング配置溝に嵌まる円形状のスプリングに、複数個の突部を分散配設し、そのスプリングの各突部をスリット状貫通穴に夫々挿通し、その各スプリング突部の先端部を更に外円筒の前端部に設けたスプリング突部受溝に夫々嵌める。万華鏡を使用する際には、覗き窓を有する筒状体を回動させることなく、オブジェクトケーのみを回転させればよいため、該万華鏡は使い勝手が良好である。
【０００６】
【特許文献１】特開２００４−２２３５０２号公報
【考案の開示】
【考案が解決しようとする課題】
【０００７】
しかしながら、上述した従来の万華鏡においては、１個のオブジェクト容器（オブジェクトケース）しか用意されていない、該オブジェクト容器が外筒内に固定されており、簡単に交換できないため、模様の変化が単調であるという欠点があった。
【０００８】
また、上述した従来の万華鏡は、夜間や暗室など暗い使用環境で万華鏡を楽しむことができないという不都合があった。
【０００９】
そこで、本考案は、このような問題点を考慮してなされたもので、オブジェクトを装填されたオブジェクト容器を交換することで多種類の模様を手軽に観察でき、また周囲の明るさを問わずに鮮やかな模様を楽しめる万華鏡を提供することを目的とする。
【課題を解決するための手段】
【００１０】
上記課題を解決するため、本考案に係る万華鏡は、複数枚の平面鏡の鏡面を内側に向けて組合せた鏡筒を収容する外筒と、前記外筒の後端に設けられ、覗き穴を有する端板と、多数のオブジェクトを移動自在に装填された複数の透明なオブジェクト容器とを備える万華鏡であって、前記外筒の前端側の筒壁に貫通穴が設けられ、前記オブジェクト容器は、底面に磁性金属部材が設けられ、磁石を有する回転ノブにより前記貫通穴を介して回転自在、且つ着脱可能に前記外筒内に取り付けられることを特徴とするものである。
【００１１】
例えば、前記外筒の前記貫通穴と対向する位置に開口部が設けられ、外筒の外壁に、照明装置が磁石を用いて着脱可能に装着され、該照明装置からの光は前記開口部を通して前記オブジェクト容器に投射可能とされる。また、前記照明装置は、発光ダイオードと電池とON/OFFスイッチとからなり、前記発光ダイオードの照射角度は所定範囲で調整可能とされる。さらに、前記複数のオブジェクト容器のうち、少なくとも１つは内部に装填されたオブジェクトを入れ替えるために開閉可能な構成を有する。
【００１２】
本考案においては、オブジェクト容器は、上面および側面は透光性を有し、前記外筒の前端側に回転自在、且つ着脱可能に取り付けられる。また、外筒の外壁に照明装置が設けられる。
【００１３】
これにより、オブジェクトを装填されたオブジェクト容器を交換でき、多種類の模様を手軽に楽しめると共に、周囲の明るさを問わずに鮮やかな模様を楽しめる万華鏡を提供することが可能となる。
【００１４】
また、照明装置の照射角度を所定範囲で調整可能とされるため、光の投射角度による模様の明るさの変化を実現することが可能となる。さらに、少なくとも１つのオブジェクト容器が内部に装填されたオブジェクトを入れ替えるために開閉可能な構成を有するため、ユーザが自分の好みで新たなオブジェクトを作成することができ、より多種類の模様を観察することが可能となる。
【考案の効果】
【００１５】
本考案によれば、万華鏡は、細長い複数枚の平面鏡の鏡面を内側に向けて組合せた鏡筒を収容する外筒と、外筒の後端に設けられ、覗き穴を有する端板と、多数のオブジェクトを移動自在に装填された複数の透明なオブジェクト容器とを備え、外筒の前端側の筒壁に貫通穴が設けられ、オブジェクト容器は、底面に磁性金属部材が設けられ、磁石を有する回転ノブにより貫通穴を介して回転自在、且つ着脱可能に外筒内に取り付けられるものであり、オブジェクトを装填されたオブジェクト容器を簡単に交換できるため、多種類の模様を手軽に楽しめる万華鏡を提供することができる。
【００１６】
また、照明装置が設けられることで、周囲の明るさを問わずに鮮やかな模様を楽しめる万華鏡を提供することができる。また、照明装置の照射角度を所定範囲で調整可能とされるため、光の投射角度による模様の明るさの変化を実現することができる。さらに、少なくとも１つのオブジェクト容器は内部に装填されたオブジェクトを入れ替えるために開閉可能な構成を有するため、ユーザが自分の好みで新たなオブジェクトを作成しオブジェクト容器に装填することができ、より多種類の模様を観察することができる。
【考案を実施するための最良の形態】
【００１７】
本考案に係る万華鏡を実施するための最良の形態を、図を参照して説明する。図１は本考案に係る万華鏡の構成を示す断面図である。図２は、万華鏡１００の構成を示す斜視図である。
【００１８】
図１、図２に示すように、万華鏡１００は、鏡筒１と、鏡筒固定板２，３と、外筒１０と、オブジェクト容器２０と、回転ノブ３０と、照明装置４０とから構成されている。
【００１９】
鏡筒１は、細長い３枚の平面鏡の鏡面を内側に向けて組合せた２等辺鏡筒である。この鏡筒１は、固定板２，３により外筒１０内に固定されている。
【００２０】
また、オブジェクト容器２０は、磁石３２を有する回転ノブ３０により貫通穴１１ａを介して回転自在、且つ着脱可能に外筒１０内、鏡筒１の端部に取り付けられる。模様を観察する際に、回転ノブ３０を回転させることにより色彩模様を変化させ、表現することが可能である。また、オブジェクト容器２０は、例えば４個用意されており、それぞれ異なるオブジェクトが収納されたものである。
【００２１】
また、外筒１０の外壁に、照明装置４０が磁石４４を用いて着脱可能に装着され、該照明装置４０からの光はオブジェクト容器２０に投射可能とされる。また、照明装置４０は、白色発光ダイオード４１とON/OFFスイッチ４２とボタン型電池４３とからなる。なお、照明装置４０は、所定範囲に回動可能であり、白色発光ダイオード４１の照射角度を調整することができる。これにより、オブジェクト模様の色彩を変化させることができる。
【００２２】
図３は、外筒１０の構成を示す図である。図３中（Ａ）は、矢印Ａ方向から見た図で、図３中（Ｂ）は、矢印Ｂ方向から見た図である。図３に示すように、外筒１０は、円筒体１１と、前端板１２と、後端板１３と、金具１４と、ナット１５とから構成されている。
【００２３】
円筒体１１の前端側に、オブジェクト容器２０を取り付けるための貫通穴１１ａと、投光用の開口部１１ｂとが設けられている。貫通穴１１ａは短円筒体を設けて構成される。また、開口部１１ｂの近くに円柱状の金具１４が設けられている。この金具１４はナット１５を用いて円筒体１１に取り付けられる。また、金具１４は、磁石につく磁性金属材料から形成される。照明装置４０の装着部に設けられた磁石４４が金具１４の端部を磁着することで、照明装置４０が取り付けられる。
【００２４】
また、前端板１２は、透光穴１２ａが設けられている。この前端板１２は着脱可能に円筒体１１の前端に配置されている。オブジェクト容器２０を交換する際に前端板１２を取り外して、内部のオブジェクト容器２０を取り出し、他のオブジェクト容器２０を装入することができる。
【００２５】
また、後端板１３は、覗き穴１３ａが設けられている。この後端板１３は円筒体１１の後端に配置されている。なお、覗き穴１３ａの形状は、図３に示す形状に限定されるものではない。
【００２６】
図４は、オブジェクト容器２０の構成を示す断面図である。図４に示すように、オブジェクト容器２０は、容器本体２１と、蓋２２と、磁性金属部材としての板状部材２３と、オブジェクト２４とから構成されている。
【００２７】
容器本体２１は、透明樹脂材、例えば透明アクリルから形成される円筒状容器である。蓋２２は、透明樹脂材、例えば透明アクリルから形成される。この蓋２２はオブジェクト２４が装填された後に容器本体２１に接着剤で接着される。
【００２８】
また、板状部材２３は、磁石につく磁性金属材料、例えば鉄から形成される。この板状部材２３は容器本体２１底面に接着される。なお、この例において、板状部材２３は鉄製円板としたが、これに限定されるものではない。例えば、市販の鉄製ワッシャを用いてもよい。
【００２９】
また、オブジェクト２４は、各種形状の多色ビーズ等をオイルまたはグリセリン等液体と一緒に容器本体２１に装填される。例えば、春、夏、秋、冬を代表する多色ビーズを、それぞれ容器本体２１に装填され、４つのオブジェクト容器２０を形成される。オブジェクト容器２０を交換することで多様な模様を観察することができる。また、４つのオブジェクト容器２０のうち、少なくとも１つが内部に装填されたオブジェクト２４を入れ替えることが可能な構成（図５参照）を有するようにしてもよい。なお、オブジェクト容器２０は４個に限定されるものではない。
【００３０】
図５は、オブジェクト容器の他の構成例を示す断面図である。図５に示すように、オブジェクト容器２０Ａは、容器本体２１Ａと、蓋２２と、板状部材２３Ａと、締め付けリング２５とから構成されている。このオブジェクト容器２０Ａは蓋２２が開閉可能であり、ユーザは自分の好みでオブジェクトを作成し、装填することができる。
【００３１】
容器本体２１Ａは、透明樹脂材、例えば透明アクリルから形成される円筒状容器である。円筒壁の上端の内側に蓋２２を落とし込む段付き部が設けられ、また、上端の外側にネジ部が設けられている。蓋２２は、透明樹脂材、例えば透明アクリルから形成される。また、締め付けリング２５は、金属材料または樹脂材料から形成されるＬ字形断面を有するものである。この締め付けリング２５の内側にネジ部が設けられている。
【００３２】
蓋２２はオブジェクトが装填された後に締め付けリング２５により容器本体２１Ａに固定される。この場合、内部の液体が漏れないように、締め付けリング２５をしっかり締め付けることが必要である。なお、液体漏れを防止するために容器本体２１Ａと蓋２２との間にゴム等のシール材を設けてもよい。
【００３３】
このような構成によりユーザが自由にオブジェクトを作成し、内部に装填されたオブジェクト２４を入れ替えることができる。または、例えば、万華鏡１００の製品は、万華鏡本体と、３つのオブジェクト２４が装填されたオブジェクト容器２０と、１つのオブジェクト２４が装填されていないオブジェクト容器２０Ａとをセットすることで、ユーザが空のオブジェクト容器２０Ａを利用して自分の好みでオブジェクトを作成し、装填することができる。
【００３４】
板状部材２３Ａは、磁石につく磁性金属材料、例えば鉄から形成されたリング状板状部材である。この例において、板状部材２３Ａには、例えば市販の鉄製ワッシャを用いる。
【００３５】
図６は、回転ノブ３０の構成を示す図である。図５に示すように、回転ノブ３０は、ノブ本体３１と、磁石３２とから構成されている。
【００３６】
ノブ本体３１は、樹脂または金属から形成される。このノブ本体３１の上端に凹部を有し、この凹部に磁石３２が設けられている。また、磁石３２は、例えば円柱型のネオジム磁石である。この磁石によりオブジェクト容器２０，２０Ａの板状部材２３，２３Ａを磁着することでオブジェクト容器２０，２０Ａを取り付ける。これにより、オブジェクト容器２０，２０Ａを簡単に取り替えることができる。
【００３７】
このように本実施の形態においては、万華鏡１００は、鏡筒１を収容する外筒１０と、外筒１０の後端に設けられ、覗き穴１３ａを有する端板１３と、多数のオブジェクト２４を移動自在に装填された複数のオブジェクト容器２０とを備え、外筒１０の前端側の筒壁には、貫通穴１１ａが設けられ、オブジェクト容器２０は、底面に板状部材２３が設けられ、磁石３２を有する回転ノブ３０により貫通穴１１ａを介して回転自在、且つ着脱可能に外筒１０の内部に取り付けられ、また、外筒１０に開口部１１ｂが設けられ、外筒１０に外壁に、照明装置４０が磁石４４を用いて着脱可能に装着され、該照明装置４０からの光は開口部１１ｂを通してオブジェクト容器２０に投射可能とされる。さらに、複数のオブジェクト容器２０のうち、少なくとも１つが内部に装填されたオブジェクト２４を入れ替えることが可能な構成を有する。
【００３８】
これにより、オブジェクト２４を装填されたオブジェクト容器２０を交換でき、多種類の模様を手軽に楽しめる。
【００３９】
また、照明装置４０が設けられることで、周囲の明るさを問わずに鮮やかな模様を楽しめる万華鏡１００を提供することができる。さらに、少なくとも１つのオブジェクト容器２０が内部に装填されたオブジェクト２４を入れ替えることが可能な構成を有するため、ユーザが自分の好みで新たなオブジェクトを作成することができ、多数の模様を観察することができる。
【００４０】
なお、上述実施の形態においては、外筒１０は円筒形としたが、これに限定されるものではない。
【００４１】
また、上述実施の形態においては、オブジェクト２４が装填されていない空のオブジェクト容器を２個以上用意してもよい。ユーザが自作のオブジェクトを装填し密封させることで、複数の新しい模様を有するものを作成することが可能である。
【産業上の利用可能性】
【００４２】
この考案は、玩具、教育等業界において多種類の模様を手軽に観察でき、また周囲の明るさを問わずに鮮やかな模様を楽しめる万華鏡を提供する目的に利用できる。
【図面の簡単な説明】
【００４３】
【図１】本考案に係る万華鏡の構成を示す断面図である。
【図２】万華鏡１００の構成を示す斜視図である。
【図３】外筒１０の構成を示す図である。
【図４】オブジェクト容器２０の構成を示す断面図である。
【図５】オブジェクト容器の他の構成例を示す断面図である。
【図６】回転ノブ３０の構成を示す図である。
【符号の説明】
【００４４】
１  鏡筒、
２，３  鏡筒固定板
１０  外筒
１１  円筒体
１１ａ  貫通穴
１１ｂ  開口部
１２  前端板
１３  後端板
１４  金具
１５  ナット
２０，２０Ａ  オブジェクト容器
２１，２１Ａ  容器本体
２２  蓋
２３，２３Ａ  板状部材
２４  オブジェクト
２５  締め付けリング
３０  回転ノブ
３１  ノブ本体
３２，４４  磁石
４０  照明装置
４１  白色発光ダイオード
４２  ON/OFFスイッチ
４３  ボタン型電池
１００  万華鏡
【図１】
0003114922.tif 000003
【図２】
0003114922.tif 000004
【図３】
0003114922.tif 000005
【図４】
0003114922.tif 000006
【図５】
0003114922.tif 000007
【図６】
0003114922.tif 000008